(57)【要約】      （修正有）【課題】使用者の顔に掛けた際に、使用者に十分なリラックス効果を与えることができるフェイスピローを提供する。【解決手段】顔面に掛けられるフェイスピローであって、当該フェイスピローは、顔面に掛けられた際に、鼻孔と口唇とを露出させる開口部８と、顔面に掛けられた際に、両目を覆う上被覆部（主に上対向部６における背面部）と、顔面に掛けられた際に、両頬を覆う下被覆部（主に下対向部７における後保護部）と、前記上被覆部（主に上対向部６）に設けられ、入眠を促す入眠促進材（例えば、蒸気温熱材１２）を収納可能な収納部（後保護部と背面部とで形成されるポケット部５）と、を有しており、鼻孔と口唇とを露出させる開口部より十分な呼吸を確保した上で、収納部に収納した入眠促進材の効能を両目に付与することで、使用の際に十分なリラックス効果を与える。【選択図】図５
0003216410.tif 000002
【実用新案登録請求の範囲】
【請求項１】
顔面に掛けられるフェイスピローであって、
顔面に掛けられた際に、鼻孔と口唇とを露出させる開口部と、
顔面に掛けられた際に、両目を覆う上被覆部と、
顔面に掛けられた際に、両頬を覆う下被覆部と、
前記上被覆部に設けられ、入眠を促す入眠促進材を収納可能な収納部と、
を有したことを特徴とするフェイスピロー。
【請求項２】
前記下被覆部に、下被覆部側収納部を設けたことを特徴とする請求項１に記載のフェイスピロー。
【請求項３】
前記下被覆部側収納部に、美容を促す美容促進材を収納したことを特徴とする請求項２に記載のフェイスピロー。
【考案の詳細な説明】
【技術分野】
【０００１】
本考案は、使用者の顔に掛けることで、使用者の入眠促進等を図るフェイスピローに関する。
【背景技術】
【０００２】
従来、使用者の顔に掛けてリラックス効果を付与するものとして、下記の特許文献１に示されるものがあった（例えば、図５）。
【０００３】
この特許文献１によれば、クロスを二重構造にして、かつクロスにおける外周縁部と開孔の内周縁部とが膨らみを有する袋縫い状態で構成されることで、顔に装着したときにフンワリとした感覚を与えて、リラックス効果が得られる、といったことが記載されている。
【先行技術文献】
【特許文献】
【０００４】
【特許文献１】特開２００１−１４５５１９号公報
【考案の概要】
【考案が解決しようとする課題】
【０００５】
しかしながら、使用の際にリラックス効果を与える、という点では、まだまだ改善の余地があった。
【０００６】
本考案は、このような実情に鑑み、使用者の顔に掛けた際に、使用者に十分なリラックス効果を与えることを目的とする。
【課題を解決するための手段】
【０００７】
（１）本考案の請求項１に係る考案は、顔面に掛けられるフェイスピローであって、顔面に掛けられた際に、鼻孔と口唇とを露出させる開口部と、顔面に掛けられた際に、両目を覆う上被覆部と、顔面に掛けられた際に、両頬を覆う下被覆部と、前記上被覆部に設けられ、入眠を促す入眠促進材を収納可能な収納部と、を有したことを特徴とする。これにより、上被覆部にて使用者の両目を覆い、さらには、収納部に収納した入眠促進材の効能を使用者の両目に付与することができるから、使用の際に十分なリラックス効果を与えることができる。
【０００８】
（２）また、本考案の請求項２に係る考案は、上記請求項１に係る考案において、前記下被覆部に、下被覆部側収納部を設けたことを特徴とする。これにより、下被覆部側収納部においても、上記の入眠促進材を収納することができるので、下被覆部側収納部に収納した入眠促進材の効能を使用者の両頬に付与することができるから、使用の際に十分なリラックス効果を与えることができる。
【０００９】
（３）また、本考案の請求項３に係る考案は、前記下被覆部側収納部に、美容を促す美容促進材を収納したことを特徴とする。これにより、上被覆部の収納部においては、入眠促進材の効能が付与可能であり、下被覆部側収納部においては、美容促進材の効能が付与可能であるから、使用の際に十分なリラックス効果を与えることができるとともに、使用者の両頬に美肌効果や保湿効果を与えることができる。
【考案の効果】
【００１０】
本考案によれば、使用者の顔に掛けた際に、使用者に十分なリラックス効果を与えることができる。
【図面の簡単な説明】
【００１１】
【図１】（ａ）は、フェイスピローの分解斜視図の一例であり、（ｂ）は、フェイスピローの斜視図の一例である。
【図２】（ａ）は、フェイスピローの正面図の一例であり、（ｂ）は、フェイスピローの裏面図の一例である。
【図３】図２（ａ）のＡ−Ａ断面図である。
【図４】（ａ）は、ポケット部未収納状態の一例であり、（ｂ）は、ポケット部収納状態の一例である。
【図５】（ａ）は、フェイスピローの使用例の側面図であり、（ｂ）は、フェイスピローの使用例の正面図である。
【考案を実施するための形態】
【００１２】
以下、本考案の実施形態について図面を参照しながら具体的に説明する。
【００１３】
まず、図１、図２を用いて、本実施形態におけるフェイスピロー１の各構成の説明を行う。図１は、本実施形態におけるフェイスピロー１の分解斜視図および斜視図を示しており、図２は、本実施形態におけるフェイスピロー１の正面図および裏面図を示している。
【００１４】
本実施形態におけるフェイスピロー１は、例えば、布材で構成され、図１（ａ）に示すように、開口部２ｅを有する前保護部２と、開口部３ｅを有する後保護部３と、これら前保護部２、後保護部３の１／３程度の大きさで構成された背面部４とで構成されている。
【００１５】
そして、前保護部２の上端部２ａと、後保護部３の上端部３ａと、背面部４の上端部４ａとが、糸を用いて縫合されており、同じく、前保護部２の下端部２ｄと、後保護部３の下端部３ｄとが、糸を用いて縫合されており、同じく、前保護部２の開口周縁部２ｆと、後保護部３の開口周縁部３ｆとが、糸を用いて縫合されており、同じく、前保護部２の左側端部２ｂと、後保護部３の左側端部３ｂと、背面部４の左側端部４ｂとが、糸を用いて縫合されており、同じく、前保護部２の右側端部２ｃと、後保護部３の右側端部３ｃと、背面部４の右側端部４ｃとが、糸を用いて縫合されることで、図１（ｂ）に示すように、フェイスピロー１を構成している。
【００１６】
なお、糸を用いた縫合とは、例えば、ミシン等を用いて隙間なく縫われている状態を指している。また、本実施形態においては、前保護部２と、後保護部３と、背面部４とを糸を用いて縫合するとしたが、接着手法はこれに限らず、その他の手法でもよい。例えば、ボタンや、マジックテープ（登録商標）や、チャックでもよい。また、前保護部２、後保護部３、背面部４は、布材に限らず、他の材質であってもよい。例えば、樹脂で形成されていてもよい。また、布材と樹脂との組合せ、例えば、前保護部２と、後保護部３とを樹脂で形成して、背面部４を布材で形成してもよい。
【００１７】
また、前保護部２と、後保護部３と、背面部４とでフェイスピロー１を構成したが、前保護部２と、後保護部３とは、いずれか一方だけでもよい。すなわち、前保護部２と、背面部４とでフェイスピロー１を構成してもよいし、後保護部３と、背面部４とでフェイスピロー１を構成してもよい。
【００１８】
上述のようにして縫合されたフェイスピロー１は、図２に示すように、略長方形状に形成されており、縦が約２８ｃｍ、横が約２３ｃｍからなり、人間の顔を十分に覆うことのできる大きさとなっている。なお、縦横の長さ、厚み等は、適宜変更可能である。
【００１９】
（ポケット部５）
また、図２に示すように、フェイスピロー１の裏面には、前保護部２の上端部２ａと、後保護部３の上端部３ａと、背面部４の上端部４ａ、および、前保護部２の左側端部２ｂと、後保護部３の左側端部３ｂと、背面部４の左側端部４ｂ、および、前保護部２の右側端部２ｃと、後保護部３の右側端部３ｃと、背面部４の右側端部４ｃがそれぞれ縫合されることで、下開口を有するポケット部５が形成されている。これにより、当該ポケット部５には、入眠を促す入眠促進材（例えば、後述の蒸気温熱材１２）が収納できるようになっている。なお、本実施形態においては、ポケット部５を下開口としたが、上開口としてもよい。
【００２０】
（上対向部６）
また、図２に示すように、フェイスピロー１には、上対向部６が形成されている。この上対向部６は、フェイスピロー１の上方１／３の領域にわたって形成されており、前保護部２と、後保護部３と、背面部４とで構成され、裏面側（背面部４の片面）が、主に使用者の両目に対向する。
【００２１】
（下対向部７）
また、図２に示すように、フェイスピロー１には、下対向部７が形成されている。この下対向部７は、フェイスピロー１の中央および下方２／３の領域にわたって形成されており、前保護部２と、後保護部３とで構成され、裏面側（後保護部３の片面）が、主に使用者の両頬に対向する。また、下対向部７は、特に、前保護部２と後保護部３の左側端部の一部（左側端部２ｂ、左側端部３ｂ）を縫合し、前保護部２と後保護部３の右側端部の一部（右側端部２ｃ、右側端部３ｃ）を縫合することから、左右の側端部が開口することになり、当該開口より、後述の下被覆部側収納部１１に部材を収納することができるようになっている。当該収納する部材の一例としては、シルク材（例えば、繭玉１３）が挙げられる。これにより、使用者の頬に、美肌効果、保湿効果、およびリラックス効果を与えることができ、ひいては入眠を促すこともできる。また、他の部材の一例としては、アロマ材が挙げられる。これにより、使用者の鼻を介して、リラックス効果を与えることができ、ひいては入眠を促すこともできる。また、他の部材の一例としては、マイナスイオンを発生させるシート材が挙げられる。これにより、使用者の口や鼻を介して、リラックス効果を与えることができ、ひいては入眠を促すこともできる。また、他の部材の一例としては、保湿性を有した部材が挙げられる。これにより、使用者の頬に保湿効果およびリラックス効果を与えることができ、ひいては入眠を促すこともできる。
【００２２】
なお、左右の側端部の開口には、マジックテープ、ボタン、チャック等を設けて、下被覆部側収納部１１に収納した部材を封印可能にしてもよい。これにより、使用者が左右に動作しても、下被覆部側収納部１１に収納していた部材が飛び出してしまうことを防止できる。
【００２３】
また、本実施形態においては、一例として、下被覆部側収納部１１にシルク材を収納することで美肌効果および保湿効果、また、保湿性を有した部材を収納することで保湿効果を与えるようにしたが、下対向部７を構成する布材そのものがシルク製の布材や、保湿性に優れた布材で構成されていてもよい。このようにすれば、例えば、下被覆部側収納部１１にアロマ材を収納することで、美肌効果および保湿効果と、リラックス効果とを同時に得ることができる。
【００２４】
また、下対向部７においては、表裏面のいずれか一方、または両方に、小さな開口（直径５ｍｍ程度）を複数有していてもよい。これにより、例えば、下被覆部側収納部１１にアロマ材を収納した場合に、使用者の鼻にアロマ材が発する香りを到達させ易くすることができる。
【００２５】
（開口部８）
また、図２に示すように、前保護部２の開口部２ｅと、後保護部３の開口部３ｅとを対向させて、前保護部２の開口周縁部２ｆ（図１参照）と、後保護部３の開口周縁部３ｆ（図１参照）とを縫合することで、開口部８が形成される。なお、当該開口部８は、人間の鼻と口とが露出できる大きさに形成されており、鼻と口の横幅の関係から、下方が幅広に形成されている。これにより、当該開口部８より、鼻と口とを露出させることができ、使用の際には、十分な呼吸を行うことができるようになっている。なお、開口部８の形状はどのような形状であってもよい。例えば、円形状でもよいし、多角形状でもよいし、ハート形状でもよいし、星形状でもよいし、動物やキャラクタを模した形状でもよい。
【００２６】
（係止部９）
また、図２（ａ）に示すように、上対向部６には、左右方向に延出する係止部９が形成されている。この係止部９は、例えば、布材で構成されており、上対向部６の側面に糸を用いて縫合されている。また、係止部９は、図面上における左側が、右側に比べて長く形成されており、使用者の側頭部において左右の係止部９を係合できる長さ（結び目が使用者の側頭部に位置する長さ）で形成されている。これにより、フェイスピロー１を使用者にしっかり位置決めできることはもとより、使用者が仰向けで睡眠体勢をとった場合に、使用者の後頭部と枕との間に結び目が位置しないから、入眠を阻害してしまうことを防止できる。なお、横向きで睡眠体勢をとる使用者のことも考慮して、係止部９に長さ調整機能が備わっていてもよい。また、図２（ａ）においては、図面上における左側が、右側に比べて長く形成されていることを表したが、逆の関係であってもよい。なお、図２（ｂ）では、便宜上、係止部９の記載を省略している。
【００２７】
次に、図３は、図２（ａ）のＡ−Ａ断面図である。背面部４は、使用者の両目を覆うことができる位置に設けられており、後述の図５で示すように、背面部４（の片面）を使用者の両目に当接させることができるようになっている。また、背面部４は、有色（例えば、黒色）で構成されており、光を遮光する。これにより、メラトニンの分泌を阻害する光を遮断して、使用者にリラックス効果を与えることができる。また、上述した鼻と口とを露出させることができる開口部８と、当該開口部８の周囲（主に、開口部８の左右の領域と、下方の領域）に、上述した下被覆部側収納部１１が形成されている。ここで、図示はしていないが、本実施形態におけるフェイスピロー１の厚み（前後方向の長さ）は、５ｍｍ〜１ｃｍ程度で構成されている。なお、図３においては、開口部８の上方に上被覆部側収納部１０が設けられた様子を示しているが、当該上被覆部側収納部１０は、ポケット部５が形成される都合上、設けなくてもよい。
【００２８】
次に、図４は、ポケット部５に入眠を促す入眠促進材（一例として、蒸気温熱材１２）を収納する前の状態（ａ）と、ポケット部５に入眠を促す入眠促進材を収納した後の状態（ｂ）と、を示している。上述したように、ポケット部５は下開口を有しており、当該下開口より、蒸気温熱材１２を収納できるようになっている（ａ）。そして、ポケット部５は、蒸気温熱材１２を収納できる十分な大きさを有しており、（ｂ）に示すような状態にて、蒸気温熱材１２を収納する。なお、ポケット部５の下開口には、マジックテープ、ボタン、チャック等を設けて、蒸気温熱材１２を封印可能にしてもよい。これにより、フェイスピロー１を持ち運ぶとき等において、蒸気温熱材１２が落下してしまうことを防止できる。一方、これらを設けずに、ゴム材を用いてポケット部を伸縮可能として、ポケット部５が蒸気温熱材１２に密着するようにして蒸気温熱材１２の位置決めを図ってもよい。
【００２９】
ここで、蒸気温熱材１２は、温熱効果が与えられるものであれば、どのようなものであってもよく、例えば、使用前に電子レンジで加熱することで、複数回使用することができるものであってもよい。具体例としては、図４に示すような複数個の小豆が挙げられる。また、横幅は、少なくとも両目を覆うことのできる幅で形成されている。また、重さは、５００ｇ〜６００ｇで構成すれば、リラックス効果を与える上で程よい重さになる。
【００３０】
なお、本実施形態においては、入眠を促す入眠促進材として、一例として、蒸気温熱材１２を挙げて説明したが、入眠を促す入眠促進材は、蒸気温熱材１２に限られず、他のものを用いてもよい。例えば、ジェル状の冷却材を冷却して用いてもよい。このようにすれば、例えば、夏場は冷却材を用いて、冬場は蒸気温熱材１２を用いることで、季節に合った快適さを付与することができる。また、例えば、シルク材（例えば、繭玉１３）を用いてもよい。このようにすれば、季節を問わず使用することができる。
【００３１】
（フェイスピロー１の使用例）
次に、図５は、フェイスピロー１の使用例を示しており、（ａ）が側面図を、（ｂ）が正面図を示している。フェイスピロー１を使用すると、特に図５（ｂ）に示すように、開口部８より鼻と口とが露出するので、十分な呼吸を確保することができる。また、背面部４（の片面）が使用者の両目に当接して、後保護部３と背面部４との間に設けられたポケット部５に収納した蒸気温熱材１２による温熱効果を使用者の両目に付与することができる。これにより、副交感神経が優位になってリラックス効果を付与することができ、ひいては入眠を促すこともできる。また、下対向部７（の片面）が使用者の両頬に当接して、下被覆部側収納部１１に収納したシルク材（例えば、繭玉１３）による美肌効果および保湿効果や、アロマ材やマイナスイオン材によるリラックス効果を付与することができ、ひいては入眠を促すこともできる。
【００３２】
また、ポケット部５は下開口としても、図５（ａ）に示すように、ポケット部５の下端は、使用者の眉間と鼻との間に位置することから、鼻がストッパとなって、ポケット部５に収納した蒸気温熱材１２が下方に移動することを防止することができる。
【００３３】
なお、マスクのように、耳に掛けられる紐状の掛止部を設けて、当該掛止部を用いて、フェイスピロー１を使用者に位置決めするようにしてもよい。また、エプロンのように、首で掛止できるような紐状の掛止部を設けて、当該掛止部を用いて、フェイスピロー１を使用者に位置決めするようにしてもよい。
【００３４】
なお、本実施形態におけるフェイスピロー１の用途は、様々なものが想定される。例えば、アイマスクに代表される睡眠促進具として用いてもよいし、整体、エステ、美容院、理容院、歯科医院等で用いることもできる。
【００３５】
なお、上記実施形態や変形例で示した事項は、あくまで一例に過ぎず、本考案の範囲を逸脱しない範囲で、適宜変更可能である。
【００３６】
上記（１）のフェイスピローにおいて記載する手段等の詳細について説明する。
顔面に掛けられるフェイスピローであって、顔面に掛けられた際に、鼻孔と口唇とを露出させる開口部（開口部８）と、顔面に掛けられた際に、両目を覆う上被覆部（主に上対向部６における背面部４）と、顔面に掛けられた際に、両頬を覆う下被覆部（主に下対向部７における後保護部３）と、前記上被覆部（主に上対向部６）に設けられ、入眠を促す入眠促進材（例えば、蒸気温熱材１２）を収納可能な収納部（後保護部３と背面部４とで形成されるポケット部５）と、を有したことを特徴とする。
【００３７】
上記（２）のフェイスピローにおいて記載する手段等の詳細について説明する。
前記下被覆部（前保護部２と後保護部３との間）に、下被覆部側収納部（下被覆部側収納部１１）を設けたことを特徴とする。
【００３８】
上記（３）のフェイスピローにおいて記載する手段等の詳細について説明する。
前記下被覆部側収納部に、美容を促す美容促進材（例えば、繭玉１３）を収納したことを特徴とする。
【符号の説明】
【００３９】
１            フェイスピロー
２            前保護部
３            後保護部
４            背面部
５            ポケット部
６            上対向部
７            下対向部
８            開口部
９            係止部
１０          上被覆部側収納部
１１          下被覆部側収納部
１２          蒸気温熱材
１３          繭玉
【図１】
0003216410.tif 000003
【図２】
0003216410.tif 000004
【図３】
0003216410.tif 000005
【図４】
0003216410.tif 000006
【図５】
0003216410.tif 000007